(57)【要約】【課題】柵の中にワイヤーを張るのをなくして、猪等有害獣の警戒心をなくし、有害獣の捕獲が確実に行えるようにすると共に、捕獲したときには柵の中を撮影してその画像を遠隔地のカメラ付き携帯電話に送り、ディスプレイを見ることにより何が捕獲されたかを知ることができるようにする。そして誤って子供が閉じ込められたときには、直ちに救出に向かうことができるようにする。【解決手段】柵本体２３に赤外線センサー３５を設置して有害獣が柵２３の中に入ったときそれを検出し、その検出信号により閉じ蓋２４を閉じると共に、制御ユニット２５のカメラで柵２３の中を撮影する。そしてその画像を遠隔地の携帯電話機に送信する。【選択図】図５
2005095028.tif 000002
【特許請求の範囲】
【請求項１】
前後側のいずれか一方若しくは双方を開口した柵本体と、該柵本体に昇降可能に支持され、開口を開閉する閉じ蓋と、柵本体に取付けられ、有害獣等が開口より柵本体内に入ったときに、これを検出するセンサーと、閉じ蓋を開口上に持ち上げた状態に拘束支持することができると共に、センサーからの検出信号により閉じ蓋の拘束を解除するロック装置と、抜き差しにより開口上に持ち上げた閉じ蓋を柵本体に固定し、或いはその固定を解除する止金具よりなることを特徴とする捕獲柵。
【請求項２】
前後側のいずれか一方若しくは双方を開口した柵本体と、該柵本体に昇降可能に支持され、開口を開閉すると閉じ蓋と、柵本体に取付けられ、有害獣等が開口より柵本体内に入ったとき、これを検出するセンサーと、閉じ蓋を開口上に持ち上げた状態に支持して拘束するか、或いはその拘束を解除することができるロック装置と、該ロック装置を固定モード或いは非固定モードに切換えるこができる切換え手段と、該切換え手段により非固定モードに切換えた状態で、上記センサーから検出信号が入力されると、ロック装置に出力し、該ロック装置による拘束を解除して閉じ蓋を落下させる制御装置とからなることを特徴とする捕獲柵。
【請求項３】
センサーは高さ調整が可能であることを特徴とする請求項１又は２記載の捕獲柵。
【請求項４】
時間設定が可能なタイマーを備え、該タイマー操作により固定モード或いは非固定モードの時間設定を可能としたことを特徴とする請求項２記載の捕獲柵。
【請求項５】
センサーからの出力信号により遠隔地の警報手段に送信する送信部を設け、該送信部からの受信により警報手段が警報表示を行うことを特徴とする請求項１ないし４のいずれかの請求項に記載の捕獲柵。
【請求項６】
閉じ蓋が閉じたときにこれを検出する第２のセンサーと、該第２のセンサーからの出力信号により、遠隔地にある警報手段に送信信号を発信する送信部を設け、該送信部からの受信により警報手段が警報表示を行うことを特徴とする請求項１ないし４のいずれかの請求項に記載の捕獲柵。
【請求項７】
センサーからの出力信号により柵内部を撮影する撮影手段と、撮影手段により撮影された画像を遠隔地の画像表示手段に発信する送信部を設け、該送信部からの受信により画像表示手段が撮影手段により撮影された画像を表示できるようにしたことを特徴とする請求項１ないし４のいずれかの請求項に記載の捕獲柵。
【請求項８】
閉じ蓋が閉じたときにこれを検出する第２のセンサーと、該第２のセンサーからの出力信号により柵内部を撮影する撮影手段と、該撮影手段により撮影された画像を遠隔地の画像表示手段に送信する送信部を設け、該送信部からの受信により画像表示手段が撮影手段により撮影された画像を表示できるようにしたことを特徴とする請求項１ないし４のいずれかの請求項に記載の捕獲柵。
【発明の詳細な説明】
【技術分野】
【０００１】
本発明は、猪のような山間地に棲息する有害獣を捕獲するために用いる捕獲柵に関する。
【背景技術】
【０００２】
近年、有害獣、とりわけ猪による農林業の被害が増加の一途を辿っている。山間地の田畑では、猪による被害を避けるため防護柵を巡らせているが、防護柵の設置には労力と費用が嵩むうえ、万全とはいえず、山間地では耕作放棄にまで追い込まれる農家まであるのが現状である。
【０００３】
猪等の有害獣の駆除対策としては、銃による狩猟、捕獲柵や括り罠による捕獲等が行われているが、猪等の有害獣が人里に出没することが多くなり、人里で銃を使用したり、括り罠を設置することは安全面で問題がある。
【０００４】
捕獲柵は、安全上の問題が比較的少なく、近年多用され始めており、捕獲柵に関する提案もいくつかなされている。下記特許文献１及び２に示されるものがその例で、前後側の一方又は双方を開口した柵本体と、該柵本体に昇降可能に支持され、開口を開閉する閉じ蓋と、閉じ蓋に連結されるワイヤー、ロープなど（以下、単に「ワイヤー等」という）よりなり、閉じ蓋を開口上に持ち上げた状態でワイヤー等をシーブを経て柵内部の下部に左右に張設し、その端部を柵本体に連結するか、或いはワイヤー等の端部に形成されるループを掛止具に嵌合して連結し、有害獣が開口より柵内に入って、張設されたワイヤー等を切断するか、或いはワイヤー等に脚を引掛けてループが掛止具より外れると、閉じ蓋が自重により落下して開口を閉じるようになっている。
【０００５】
しかしながら、上述する従来の防護柵には、次のような問題があった。
第１は、防護柵を設置するときには、閉じ蓋を開口上に持ち上げて支持する人と、閉じ蓋に連結されるワイヤー等を引張って張設し、その端部を柵本体に連結したり、ワイヤー等の端部のループを掛止具に嵌合して連結する作業を行う人など複数の作業者が必要であること、
第２は、閉じ蓋を持ち上げてセットしたのち、柵の中に餌を置くため柵の中に出入りするときに、張設されたワイヤー等に誤って引掛かかり、不用意に閉じ蓋を閉めるおそれがあること、
第３は、有害獣によっては、例えば猪の場合、警戒心が強く、ワイヤー等が露出していると、警戒して柵の中に入り込まないことがあること、
第４は、子供や飼い犬が誤って閉じ込められるおそれがあること、
等である。
【特許文献１】特開２０００−３１６４５６号公報
【特許文献１】特開２０００−３３３５８６号公報
【発明の開示】
【発明が解決しようとする課題】
【０００６】
本発明の第１の目的は、柵の中にワイヤー等を張設するのを無くして捕獲柵のセッティングが一人でも行えるようにすると共に、餌を置くため柵に出入りするとき、閉じ蓋が不用意に閉まることがないようにし、しかも有害獣の警戒心を無くすことができる捕獲柵を提供しようとするものであり、
第２の目的は、子供や飼い犬が誤って閉じ込められることがないようにした捕獲柵を提供しようとするものである。
【０００７】
本発明の第３の目的は、閉じ蓋が降りたときに通報して有害獣の捕獲を知得できるようにし、子供や飼い犬が誤って閉じ込められるようなことがあっても、早期に救出することができるようにした捕獲柵を提供しようとするものであり、第４の目的は、閉じ蓋が閉じたときに何が捕獲されたのかを遠隔地からでも容易に知得することができる捕獲柵を提供しようとするものである。
【課題を解決するための手段】
【０００８】
請求項１に係る発明は、第１の目的を達成する捕獲柵に関するもので、前後側のいずれか一方若しくは双方を開口した柵本体と、該柵本体に昇降可能に支持され、開口を開閉する閉じ蓋と、柵本体に取付けられ、有害獣等が開口より柵本体内に入ったときに、これを検出するセンサーと、閉じ蓋を開口上に持ち上げた状態に拘束支持することができると共に、センサーからの検出信号により閉じ蓋の拘束を解除するロック装置と、抜き差しにより開口上に持ち上げた閉じ蓋を柵本体に固定し、或いはその固定を解除する止金具よりなることを特徴とする。
【０００９】
本発明によると、閉じ蓋を開口上に持上げて止金具により柵本体に固定したのち、開口より柵の中に入り餌を置く。餌を置いて捕獲柵から出たのち、ロック装置により閉じ蓋を持上げた状態に拘束し、ついで止着具を抜き取る。以後、開口より有害獣や人が入ってセンサーがこれを検出すると、その検出信号によりロック装置による拘束が解除され、閉じ蓋が自重により落下して開口を瞬時に閉じる。
【００１０】
本発明で用いるセンサーとしては、好ましくは視聴覚では検出できないような、例えば赤外線センサー、レーザーセンサー、超音波センサー等が用いられる。
【００１１】
ロック装置としては、例えば図１及び図２に示されるように、ピン１に旋回可能に軸支されるロッド２と、進退によりロッド端の二又部２ａに係脱可能に係止するプランジャー３を備えたソレノイド４よりなり、閉じ蓋に連結されるワイヤー５端のループ５ａをロッド２に通して掛けた状態でソレノイド４を励磁すると、プランジャー３が後退して二又部２ａより離脱し、これによりフリーとなったロッド２がワイヤー５に引張られて図１の時計方向に回動し、これによりループ５ａがロッド２より外れ、閉じ蓋を吊持するワイヤー５がフリーになって閉じ蓋を落下させるようにしたもの、図３に示すように、ピン７により旋回可能に軸支されるパイプ状のアーム８と、進退によりアーム端に抜き差し可能に差込まれるプランジャー９を備えたソレノイド１０よりなり、閉じ蓋に連結されるワイヤー５端のループ５ａをアーム８に通して掛けた状態でソレノイド１０を励磁させると、プランジャー９が後退してアーム８より離脱し、これによりフリーとなったアーム８がワイヤー５に引張られて図３の反時計方向に撥ね上げられ、これによりループ５ａがアーム８より外れ、閉じ蓋を吊持するワイヤー５がフリーになって蓋を落下させるようにしたもの、図４に示すように、軸受１２を通して進退するプランジャー１３を備えたソレノイド１４よりなり、プランジャー１３を前進させて閉じ蓋を構成するフレーム１５の係止孔１６に嵌挿させたとき、閉じ蓋がプランジャー１３に支持され、プランジャー１３を後退させて係止孔１６より離脱させたとき、閉じ蓋を落下させるようにしたもの等を例示することができ、プランジャーの進退がスムースに行えるようにするためにプランジャーをガイドするガイドロールを設けるのが望ましい。このため図４に示す例では、プランジャー１３に上方より係合するシーブ１７がフレーム１５に軸支されている。
【００１２】
止金具は、閉じ蓋を開口上に持上げた状態で柵本体に固定できるものであればよく、その種類を問わないが、敢えて例示すれば、閉じ蓋と柵本体に形成されるピン差込み孔に抜き差し可能に差込まれるピン、閉じ蓋下端と柵本体上端との間に挿入される楔状のピン等が挙げられる。
【００１３】
請求項２に係る発明は、第１の目的を達成する別の防護柵に関するもので、前後側のいずれか一方若しくは双方を開口した柵本体と、該柵本体に昇降可能に支持され、開口を開閉すると閉じ蓋と、柵本体に取付けられ、有害獣等が開口より柵本体内に入ったとき、これを検出するセンサーと、閉じ蓋を開口上に持ち上げた状態に支持して拘束するか、或いはその拘束を解除することができるロック装置と、該ロック装置を固定モード或いは非固定モードに切換えるこができる切換え手段と、該切換え手段により非固定モードに切換えた状態で、上記センサーから検出信号が入力されると、ロック装置に出力し、該ロック装置による拘束を解除して閉じ蓋を落下させる制御装置とからなることを特徴とする。
【００１４】
本発明においては、閉じ蓋を開口上に持上げ、かつ切換え手段によりロック装置を固定モードに切換えたのち、開口より柵の中に入り餌を置く、柵の中に人が入り、センサーがこれを検出しても、ロック装置は固定モードに切換えられているため、制御装置からの制御信号によりロック装置による拘束が解除されることはない。人が柵から出たのち切換え手段により非固定モードに切換える、以後、開口より有害獣や人が入ってセンサーがこれを検出すると、その検出信号によりロック装置による拘束が解除され、閉じ蓋が自重により落下して開口を瞬時に閉じる。
【００１５】
本発明のセンサーやロック装置は、請求項１に係る発明のものと同様のものを用いることができる。
切換え手段は、例えばロック装置をＯＮ−ＯＦＦ制御するスイッチ、制御装置をＯＮ-ＯＦＦ制御するスイッチを挙げることができる。
また制御装置は、例えばマイコンよりなってロック装置を制御するが、押しボタン、スイッチ、テンキーなどの入力手段の操作により切換え手段を制御できるようにしてもよい。
【００１６】
請求項３に係る発明は、請求項１又は２に係る発明において、センサーは高さ調整が可能であることを特徴とする。
【００１７】
猪を例にとっていえば、子供の猪よりも高い位置にセンサーを取り付けておけば、子供の猪のみならず、通常の大きさの犬、その他の小動物が開口を通って柵の中に入るようなことがあっても、センサーがこれを検出することはなく、したがって閉じ蓋が閉まることはない。
【００１８】
請求項４に係る発明は、第２の目的を達成する捕獲柵に関するもので、請求項２に係る発明において、時間設定が可能なタイマーを備え、該タイマー操作により固定モード或いは非固定モードの時間設定を可能としたことを特徴とする。
【００１９】
本発明によると、タイマー操作により例えば１９時から６時までを非固定モードに設定しておくと、１９時以降６時まで柵の中に入った有害獣を捕獲することができ、１９時まで子供が遊ぶことの多い時間帯では、例え子供が柵の中に入って、センサーがこれを検出しても閉じ蓋が閉じることはない。
【００２０】
請求項５に係る発明は、第３の目的を達成する捕獲柵に関するもので、請求項１ないし４に係る発明において、センサーからの出力信号により遠隔地の警報手段に送信する送信部を設け、該送信部からの受信により警報手段が警報表示を行うことを特徴とする。
【００２１】
本発明によると、センサーが柵の中に何かが入ったことを検出すると、警報手段が警報表示を行う。
本発明における警報手段としては、例えばブザー、或いは警報灯等を挙げることができ、ブザーにより警報音よりなる警報表示が、或いはまた警報灯の点灯により警報表示がなされる。
【００２２】
請求項６に係る発明は、第３の目的を達成する別の捕獲柵に関するもので、請求項１ないし４に係る発明において、閉じ蓋が閉じたときにこれを検出する第２のセンサーと、該第２のセンサーからの出力信号により、遠隔地にある警報手段に送信信号を発信する送信部を設け、該送信部からの受信により警報手段が警報表示を行うことを特徴とする。
【００２３】
本発明によると、閉じ蓋が閉まると、警報手段が警報表示を行う。
本発明の警報手段も請求項５に係る発明の警報手段と同様のものを用いることができる。
【００２４】
請求項７に係る発明は、第４の目的を達成する捕獲柵に関するもので、請求項１ないし４に係る発明において、センサーからの出力信号により柵内部を撮影する撮影手段と、撮影手段により撮影された画像を遠隔地の画像表示手段に発信する送信部を設け、該送信部からの受信により画像表示手段が撮影手段により撮影された画像を表示できるようにしたことを特徴とする。
【００２５】
本発明によると、センサーが柵の中に何かが入ったことを検出すると、撮影手段がこれを撮影し、その画像が画像表示手段に表示可能となり、その画像を見ることにより柵の中に入っているものを遠隔地において知ることができる。
【００２６】
本発明における撮影手段としては、例えばデジタルカメラ、ビデオカメラ、携帯電話に組み込まれるカメラ等を挙げることができ、画像表示手段としてはモニターテレビ、携帯電話のディスプレイ等を挙げることができる。
【００２７】
請求項８に係る発明は、第４の目的を達成する別の捕獲柵に関するもので、請求項１ないし４に係る発明において、閉じ蓋が閉じたときにこれを検出する第２のセンサーと、該第２のセンサーからの出力信号により柵内部を撮影する撮影手段と、該撮影手段により撮影された画像を遠隔地の画像表示手段に送信する送信部を設け、該送信部からの受信により画像表示手段が撮影手段により撮影された画像を表示できるようにしたことを特徴とする。
【００２８】
本発明における撮影手段や画像表示手段も請求項７に係る発明と同様のものを用いることができる。
【発明の効果】
【００２９】
請求項１に係る発明によると、閉じ蓋を開口上に持上げて止金具を差込んで固定し、柵の中に餌を置いて止金具を抜き取ったのちは有害獣を捕獲可能な状態となり、柵の中にはワイヤー等が張設されていないため、有害獣の警戒心をなくして有害獣を捕獲し易くなること、閉じ蓋を持上げて固定したり、その解除を行うことにより餌を置く作業など柵のセッティングが一人で行えることなどの効果を奏する。
【００３０】
請求項２に係る発明によると、ロック装置を固定モードに切換えたとき、センサーが検出信号を出力しても閉じ蓋が落下して閉じることはないため、請求項１に係る発明における止金具を不要とすることができる。
【００３１】
請求項３に係る発明によると、犬その他の小動物の捕獲を防止することができ、また子供の有害獣が餌を食べているのを見て成獣が安心して柵の中に入ってくるようになるため、有害獣の捕獲率向上を期待することができる。
【００３２】
請求項４に係る発明によると、有害獣が活動し易い夜間のみ、閉じ蓋が閉じるように設定することができ、子供が遊ぶ昼間の時間帯では、例え子供が柵の中に入っても閉じ蓋が閉じないように設定することができる。
【００３３】
請求項５及び６に係る発明によると、警報手段の警報表示により、遠隔地からでも柵の中に何かが捕獲されたことを知ることができるため、直ちに現場に出向くことにより誤って子供が閉じ込められるようなことがあっても、早期に救出することができる。
【００３４】
請求項７及び８に係る発明によると、送られた画像を画像表示手段で見ることにより、遠隔地からでも柵の中に捕獲されたものが何かを知ることが可能となり、誤って子供が閉じ込められていた場合には、直ちに現場に出向いて子供を救出することができる。
【発明を実施するための最良の形態】
【００３５】
図５は、本発明に係る捕獲柵２１の全体を示すもので、一側に開口を形成する門形のゲート２２を設けた箱形の柵本体２３と、ゲート２２に昇降可能に支持される閉じ蓋２４と、柵本体２３上に固定される制御ユニット２５と、ゲート２２に取着のシーブ２６又はＵボルト等に掛けられ、一端が閉じ蓋２４に連結されると共に、他端が制御ユニット２５に係脱可能に連結され、閉じ蓋２４を開口上に吊持することができるワイヤー５とからなっている。
【００３６】
柵本体２３は、箱形をなすフレームの開口を除く側面と上面及び底面が鋼棒よりなる縦桟と横桟を組合せて格子状をなしており、ゲート２２の開口からのみ出入りができるようになっている。
【００３７】
閉じ蓋２４も柵本体２３と同様、矩形のフレームに縦桟と横桟を組み付けて格子状をなしており、図６に示すように、閉じ蓋２４のフレーム２７の側部にピン差込孔２８が形成され、該差込孔２８とゲート２２に形成されるピン差込孔３０とに止金具としてのピン２９を図の矢印方向に差込むことにより閉じ蓋２４を開口上に持上げた状態に固定できるようになっている。
【００３８】
閉じ蓋２４の固定は、図７に示すように開口上に持上げた閉じ蓋２４と柵本体２３との間に止金具としての楔状をなすピン３１を差込むことによっても行うことができる。
【００３９】
ゲート２２にはまた、図８に示すように、閉じ蓋２４が閉じたときの閉じ蓋上方に位置する箇所にベルクランク状をなすストッパー３３が回動可能に軸支され、常には実線で示すように重心位置ｐが軸支点ｏの鉛直線上にあって、時計方向への回動が、ストッパーピン３２がゲート２２に当たることによって規制され、それ以上の回動が行えないようになっている。したがって図８に示すように閉じ蓋２４が閉じた状態で捕獲された有害獣が閉じ蓋２４をこじ上げて持上げようとしても閉じ蓋２４が僅か持ち上がっただけでストッパー３３に当たり、ストッパーピン３２がゲート２２に当たって回動を阻止されたのちは、それ以上の閉じ蓋２４の持上げができないようになっている。
【００４０】
閉じ蓋２４を開口上に持上げるときには、図８の一点鎖線で示すように、ストッパー３３を反時計方向に回動して閉じ蓋２４を持上げる際に干渉しない位置まで退避させる。このときストッパー３３の回動は、閉じた状態の閉じ蓋２４との間にストパー３３が回動しうるだけのスペースがあるため支障はない。
【００４１】
閉じ蓋２４が持上げられる途上においては、手を離してストッパー３３を解放するとよい。解放によりストッパー３３は、その自重により図８の実線位置に戻ろうとし、ストッパー先端が閉じ蓋２４のフレーム２７側面に係合する（図９)。この状態で閉じ蓋２４は持ち上げられ、開口上に持ち上げられると、ストッパー３３は時計方向に回動して図９の一転鎖線で示すように復帰し閉じ蓋下に位置する。閉じ蓋２４が落下して閉じるときには、ストッパー３３に当たるが、ストッパー３３の図８の反時計方向への回動は自由に行われるため、閉じ蓋２４の落下時にストッパー３３は反時計方向に回動して跳ね上がり、閉じ蓋２４が閉じたとき、図８の実線位置に復帰する。
【００４２】
柵本体２３には、対向する側面の柵本体２３を構成するフレーム又は縦桟ないし横桟にセンサー、例えば図示するように、一方の側面に高さ調整可能に取付けられる赤外線発信機３５ａと、他方の側面に同じく高さ調整可能に取付けられる赤外線受信機３５ｂよりなり、発信器３５ａと受信器３５ｂとの間に害獣が介在して赤外線の受信が遮られると、受信器３５ｂが検出信号を発信するようになっているセンサー、或いは温度センサーや反射型のセンサーなどの単独のセンサーが取付けられる。
【００４３】
制御ユニット２５は、図１０に示すように、図３に示すロック装置、すなわちピン７により旋回可能に軸支されるパイプ状のアーム８と、進退によりアーム端に抜き差し可能に差込まれるプランジャー９を備えたソレノイド１０とよりなるロック装置３７と、ソレノイド１０、カメラ３９、送信部４１及び後述する制御装置４５の電源となるバッテリー３８と、カメラ付き携帯電話を構成する、柵本体２３内を撮影する撮影手段としてのカメラ３９及び該カメラ３９で撮影した画像を送信する送信手段４１と、時間設定が可能なタイマー４２と、ソレノイド１０とバッテリー３８を含む回路に直列に設けられるスイッチ４３、４６のうち、スイッチ４３をタイマー４２により設定された時間内において赤外線検出器３５ｂからの検出信号によりＯＮにする機能、カメラ３９に出力して撮影する機能、送信部４１に出力してカメラ３９で撮影した画像を遠隔地のカメラ付き携帯電話４４に送信する機能等を有し、マイコンより構成される制御装置４５と、上記スイッチ４６をＯＮ―ＯＦＦする切換え手段としての切換えスイッチ４８とを有している。
【００４４】
本実施形態の捕獲柵は以上のように構成され、捕獲場所に運んでセットするときには、先ずストッパー３３を図８の一点鎖線で示すように反時計方向に回動して閉じ蓋２４を持上げる際に緩衝しない位置まで退避させた状態で閉じ蓋２４を持上げる。閉じ蓋を若干持上げてストッパー３３先端が閉じ蓋２４上端に係合できなくなったのちは、ストッパー３３は解放される。
【００４５】
閉じ蓋２４を開口上に持上げたのちは、ピン２９、フレーム２７のピン差込孔２８と、ゲート２２のピン差込孔３０に差込んで閉じ蓋２４を固定する。ついで切換えスイッチ４８によりスイッチ４６をＯＮにし、ロック装置を非固定モードにしておいて、入力手段からの入力によりスイッチ４３をＯＮにする。これによりソレノイド１０を励磁してプランジャー９を後退させ、ワイヤー５を引張ってワイヤー端のループ５ａをアーム８に通して掛ける。その後、アーム８をプランジャー９の延長上に位置させた状態で切換えスイッチ４８によりスイッチ４６をＯＦＦにし、ロック装置３７を固定モードにする。これによりプランジャー９がアーム端に差込まれる。その後ピン２９をピン差込孔２８及び３０より抜く。すると閉じ蓋２４は自重により若干降下し、ワイヤー５の張力に釣り合った状態で保持される。この状態で柵の中に入って餌を置く。このときロック装置３７は上述するようにスイッチ４６がＯＦＦとなって固定モードとなっていることにより、ソレノイド１０が励磁されることはなく、したがって閉じ蓋２４が閉じることもない。これに前後してまた、タイマー４２により時間設定を行う。これにより制御装置４５は上記時間内では、赤外線受信器３５ｂから検出信号を受信してもスイッチ４３をＯＮにすることはない。
【００４６】
以上のようにして捕獲柵のセットが行われ、上記設置時間内では、例え子供が入り込んでも閉じ蓋２４が落下して閉じることはない。設定時間が経過した以後、開口より柵本体２３の中に有害獣が入り、センサーがこれを検出すると、赤外線受信器３５ｂからの検出信号により制御装置４５はスイッチ４３に出力して、該スイッチ４３をＯＮにし、ソレノイド１０を励磁させる。これによりプランジャー９がアーム８端より離脱し、アーム８がワイヤー５に引張られて跳ね上がり、閉じ蓋２４が自重により落下して開口を閉じる。赤外線受信器３５ｂからの検出信号によってまた、制御装置４５はカメラ３９に出力する。これによりカメラ３９は柵の中を撮影し、撮影した画像を送信部４１より遠隔地のカメラ付き携帯電話４４に送信する。送信された画像は携帯電話のディスプレイに表示され、これを見て柵の中に何が捕獲されたのかを知ることができ、万一子供が閉じ込められているときには、現場まで駆けつけ、子供の救出を行う。
【００４７】
上記実施形態では、閉じ蓋２４が捕獲柵の一側にのみ設けられているが、別の実施形態では、捕獲柵の前後の側面に設けられている。
【図面の簡単な説明】
【００４８】
【図１】ロック装置の一例を示す図。
【図２】図１に示すロック装置の側面図。
【図３】ロック装置の別の例を示す図。
【図４】ロック装置の更に別の例を示す図。
【図５】捕獲柵の全体構造を示す斜視図。
【図６】閉じ蓋を固定するためピンを差込んだ状態を示す断面図。
【図７】閉じ蓋を固定する別の例を示す図。
【図８】閉じ蓋の持ち上げ防止を行うストッパーを示す図。
【図９】ストッパー先端が閉じ蓋側面に係合した状態を示す図。
【図１０】制御ユニットのブロック図。
【符号の説明】
【００４９】
１、７、２９、３１・・ピン
２・・ロッド
３、９、１３・・プランジャー
４、１０、１４・・ソレノイド
５・・ワイヤー
８・・アーム
１５・・フレーム
１６・・係止孔
２１・・捕獲柵
２２・・ゲート
２３・・柵本体
２４・・閉じ蓋
２５・・制御ユニット
２６・・シーブ
２８、３０・・ピン差込孔
３１・・楔状のピン
３２・・ストッパーピン
３３・・ストッパー
３５ａ・・赤外線発信器
３５ｂ・・赤外線受信器
３７・・ロック装置
３８・・バッテリー
３９・・カメラ
４１・・送信部
４２・・タイマー
４３・・スイッチ
４４・・カメラ付き携帯電話
４５・・制御装置
４６、４７・・スイッチ
４８・・切換えスイッチ
【図１】
2005095028.tif 000003
【図２】
2005095028.tif 000004
【図３】
2005095028.tif 000005
【図４】
2005095028.tif 000006
【図５】
2005095028.tif 000007
【図６】
2005095028.tif 000008
【図７】
2005095028.tif 000009
【図８】
2005095028.tif 000010
【図９】
2005095028.tif 000011
【図１０】
2005095028.tif 000012